(57)【要約】【課題】ハイブリッドＩＣカード１０の利便性を高める。【解決手段】制御回路及び接触ＩＣカード用インターフェース２５は、接触型リーダ・ライタ１５と接触型ＩＣメモリチップ２６及び非接触型ＩＣメモリチップ３０との間に介在し、接触型ＩＣメモリチップ２６のメモリ空間へは標準エリアのメモリ空間としてアクセスし、非接触型ＩＣメモリチップ３０のメモリ空間へは拡張エリアのメモリ空間としてアクセスする。制御回路及び非接触ＩＣカード用インターフェース２９は、アンテナ２０と電波でデータを送受し、アンテナ２０と接触型ＩＣメモリチップ２６及び非接触型ＩＣメモリチップ３０との間に介在し、接触型ＩＣメモリチップ２６のメモリ空間へは拡張エリアのメモリ空間としてアクセスし、非接触型ＩＣメモリチップ３０のメモリ空間へは標準エリアのメモリ空間としてアクセスする。【選択図】　　　図３
2004046408.tif 000002
【特許請求の範囲】
【請求項１】
第１のメモリ空間、
第２のメモリ空間、
接触型読書き器と前記第１のメモリ空間との間に介在する接触型読書き器用インターフェース、
前記接触型読書き器と前記第１及び前記第２のメモリ空間との間に介在して前記接触型読書き器が前記第１及び前記第２のメモリ空間をそれぞれ標準及び拡張のメモリ空間としてアクセスできる制御を行う第１の制御手段、
非接触型読書き器と前記第２のメモリ空間との間に介在する非接触型読書き器用インターフェース、及び
前記非接触型読書き器と前記第１及び前記第２のメモリ空間との間に介在して前記非接触型読書き器が前記第１及び前記第２のメモリ空間をそれぞれ拡張及び標準のメモリ空間としてアクセスできる制御を行う第２の制御手段、
を有していることを特徴とするハイブリッドＩＣカード。
【請求項２】
前記第１及び前記第２の制御手段はそれぞれアドレスレジスタを有し、
前記アドレスレジスタはアドレス部と識別部とを有し、
前記第１及び前記第２の制御手段は、アドレスレジスタのアドレス部の内容が標準及び拡張のどちらのメモリ空間におけるアドレスかをアドレスレジスタの識別部の内容に基づいて識別して、該識別結果に基づくメモリ空間のアドレスへアクセスするようになっていることを特徴とする請求項１記載のハイブリッドＩＣカード。
【請求項３】
前記第２のメモリ空間の少なくとも一部が電子マネーのデータ用に使用され、
前記第１の制御手段は、接触型読書き器としてのマネーチャージ機からの前記第２のメモリ空間へのマネーチャージを実施可能としていることを特徴とする請求項１又は２記載のハイブリッドＩＣカード。
【請求項４】
前記第２のメモリ空間の少なくとも一部が電子マネーのデータ用に使用され、
前記第１の制御手段は、接触型読書き器としての残高照会機へ第２のメモリ空間の残高照会用データを伝送可能としていることを特徴とする請求項１又は２記載のハイブリッドＩＣカード。
【請求項５】
前記第２のメモリ空間の少なくとも一部が電子マネーのデータ用に使用され、
前記第１の制御手段は、前記第２のメモリ空間の電子マネーに、接触型読書き器から入力されるデジタル署名を関連付け、
前記第２の制御手段は、前記非接触型読書き器用インターフェースを介しての前記第２のメモリ空間の電子マネーによる支払いに伴いデジタル署名情報を非接触型読書き器へ送るようになっていることを特徴とする請求項１〜４のいずれかに記載のハイブリッドＩＣカード。
【請求項６】
第１のメモリ空間、
第２のメモリ空間、
接触型読書き器と前記第１のメモリ空間との間に介在する接触型読書き器用インターフェース、及び
非接触型読書き器と前記第２のメモリ空間との間に介在する非接触型読書き器用インターフェース、
を有しているハイブリッドＩＣカードの制御方法において、
前記接触型読書き器用インターフェースには前記第１及び前記第２のメモリ空間をそれぞれ標準及び拡張のメモリ空間としてアクセスさせ、
前記非接触型読書き器用インターフェースには前記第１及び前記第２のメモリ空間をそれぞれ拡張及び標準のメモリ空間としてアクセスさせることを特徴とするハイブリッドＩＣカードの制御方法。
【請求項７】
アドレスレジスタに、アクセスするアドレスをストアするアドレス部と、識別部とを用意し、
前記識別部の内容に基づいて標準及び拡張のメモリ空間のどちらのメモリ空間のアドレスにアクセスするかを制御することを特徴とする請求項６記載のハイブリッドＩＣカードの制御方法。
【請求項８】
第１のメモリ空間、
第２のメモリ空間、
接触型読書き器、
前記接触型読書き器と前記第１のメモリ空間との間に介在する接触型読書き器用インターフェース、
前記接触型読書き器用インターフェースと前記第１及び前記第２のメモリ空間との間に介在して前記接触型読書き器用インターフェースが前記第１及び前記第２のメモリ空間をそれぞれ標準及び拡張のメモリ空間としてアクセスできる制御を行う第１の制御手段、
非接触型読書き器と前記第２のメモリ空間との間に介在する非接触型読書き器用インターフェース、及び
前記非接触型読書き器用インターフェースと前記第１及び前記第２のメモリ空間との間に介在して前記非接触型読書き器用インターフェースが前記第１及び前記第２のメモリ空間をそれぞれ拡張及び標準のメモリ空間としてアクセスできる制御を行う第２の制御手段、
を内蔵することを特徴とする携帯電話。
【請求項９】
インターネットバンキングにより電子マネーのチャージ料のデータを受信する受信手段、
前記受信手段が受け取ったチャージ料を前記第２のメモリ空間の電子マネーに残高に加算する加算手段、及び
非接触型読書き器を介する前記第２のメモリ空間の電子マネーの支払いを実施する支払い実施手段、
を内蔵することを特徴とする請求項８記載の携帯電話。
【発明の詳細な説明】
【０００１】
【発明の属する技術分野】
本発明は、ユーザにより携帯され情報を読書き可能になっているハイブリッドＩＣカード、ハイブリッドＩＣカード制御方法、及び携帯電話に関するものである。
【０００２】
【従来の技術】
ハイブリッドＩＣカードは、ユーザの衣服のポケットやハンドバッグ等に携帯されて、適宜、接触型及び非接触型のリーダ・ライタを介してデータを読書き自在になっている。従来のハイブリッドＩＣカードでは、各ＩＣメモリは、接触型及び非接触型のリーダ・ライタのどちらかで専用に読み書きするものとなっている。
【０００３】
【発明が解決しようとする課題】
従来のハイブリッドＩＣカードでは、接触型読書き器用ＩＣメモリのメモリ空間は非接触型読書き器によっては読書きできず、また、非接触型読書き器用ＩＣメモリのメモリ空間は接触型読書き器によっては読書きできず、利便性が悪い。非接触型読書き器は小型化が難しいため、非接触型読書き器によってしか非接触型読書き器用ＩＣメモリのメモリ空間を読書きできないハイブリッドＩＣカードは大変不便である。
【０００４】
本発明の目的は、利便性を高めたハイブリッドＩＣカード、ハイブリッドＩＣカードの制御方法、及び携帯電話を提供することである。
【課題を解決するための手段】
本発明のハイブリッドＩＣカードは次のものを有している。
・第１のメモリ空間
・第２のメモリ空間
・接触型読書き器と第１のメモリ空間との間に介在する接触型読書き器用インターフェース
・接触型読書き器と第１及び第２のメモリ空間との間に介在して接触型読書き器が第１及び第２のメモリ空間をそれぞれ標準及び拡張のメモリ空間としてアクセスできる制御を行う第１の制御手段
・非接触型読書き器と第２のメモリ空間との間に介在する非接触型読書き器用インターフェース
・非接触型読書き器と第１及び第２のメモリ空間との間に介在して非接触型読書き器が第１及び第２のメモリ空間をそれぞれ拡張及び標準のメモリ空間としてアクセスできる制御を行う第２の制御手段
【０００５】
非接触型とはいわゆるワイヤレス型を意味する。ワイヤレスのための伝送媒体としては例えば電波、赤外線、光等がある。第１及び第２のメモリ空間が拡張メモリ空間として作動する場合、第１及び第２のメモリ空間の全部が拡張メモリ空間となる必要はなく、一部のみが拡張メモリ空間として作動するものであってもよいとする。第１及び第２のメモリ空間は、共通のＩＣメモリ内に設けられても、別々のＩＣメモリ内に設けられてもよいとする。
【０００６】
接触型読書き器用インターフェースが第１及び第２のメモリ空間をそれぞれ標準メモリ空間及び拡張メモリ空間としてアクセス可能となり、また、非接触型読書き器用インターフェースが第１及び第２のメモリ空間をそれぞれ拡張メモリ空間及び標準メモリ空間としてアクセス可能となる。こうして、接触型読書き器を使って、第２のメモリ空間のデータを読書き自在になるとともに、非接触型読書き器を使って第１のメモリ空間のデータを読書き自在になる。
【０００７】
標準及び拡張のメモリ空間として作動させるための好ましい態様では、第１及び第２の制御手段はそれぞれアドレスレジスタを有し、アドレスレジスタはアドレス部と識別部とを有している。第１及び第２の制御手段は、アドレスレジスタのアドレス部の内容が標準及び拡張のどちらのメモリ空間におけるアドレスかをアドレスレジスタの識別部の内容に基づいて識別して、該識別結果に基づくメモリ空間のアドレスへアクセスするようになっている。
【０００８】
好ましくは、第２のメモリ空間の少なくとも一部が電子マネーのデータ用に使用され、第１の制御手段は、接触型読書き器としてのマネーチャージ機からの第２のメモリ空間へのマネーチャージを実施可能としている。
【０００９】
接触型読書き器としてのマネーチャージ機は、非接触型読書き器としてのマネーチャージ機より小型化及び構造簡単化が容易であるので、接触型読書き器としてのマネーチャージ機から第２のメモリ空間にマネーチャージすることは大変有利である。第２のメモリ空間の電子マネーは、例えば高速道路の料金所での通行料支払い等に使用される。
【００１０】
好ましくは、第２のメモリ空間の少なくとも一部が電子マネーのデータ用に使用され、第１の制御手段は、接触型読書き器としての残高照会機へ第２のメモリ空間の残高照会用データを伝送可能としている。
【００１１】
接触型読書き器としての残高照会機は、非接触型読書き器としての残高照会機より小型化及び構造簡単化が容易であるので、接触型読書き器としての残高照会機から第２のメモリ空間にマネーチャージすることは大変有利である。なお、接触型読書き器としてのマネーチャージ機が接触型読書き器としての残高照会機を兼ねることもできる。
【００１２】
本発明のハイブリッドＩＣカードの他の利用例としてデジタル署名がある。本発明のハイブリッドＩＣカードによれば、第２のメモリ空間の少なくとも一部が電子マネーのデータ用に使用され、第１の制御手段は、第２のメモリ空間の電子マネーに、接触型読書き器から入力されるデジタル署名を関連付けるものである。第２の制御手段は、非接触型読書き器用インターフェースを介しての第２のメモリ空間の電子マネーによる支払いに伴いデジタル署名情報を非接触型読書き器へ送るようになっている。
【００１３】
本発明のハイブリッドＩＣカード制御方法の適用されるハイブリッドＩＣカードは、第１のメモリ空間、第２のメモリ空間、接触型読書き器と第１のメモリ空間との間に介在する接触型読書き器用インターフェース、及び非接触型読書き器と第２のメモリ空間との間に介在する非接触型読書き器用インターフェース、を有している。そして、ハイブリッドＩＣカードの制御方法によれば、接触型読書き器用インターフェースには第１及び第２のメモリ空間をそれぞれ標準及び拡張のメモリ空間としてアクセスさせ、非接触型読書き器用インターフェースには第１及び第２のメモリ空間をそれぞれ拡張及び標準のメモリ空間としてアクセスさせる。また、アドレスレジスタに、アクセスするアドレスをストアするアドレス部と、識別部とを用意し、識別部の内容に基づいて標準及び拡張のメモリ空間のどちらのメモリ空間のアドレスにアクセスするかを制御する。
【００１４】
本発明の携帯電話は次のものを内蔵する。
・第１のメモリ空間
・第２のメモリ空間
・接触型読書き器
・接触型読書き器と第１のメモリ空間との間に介在する接触型読書き器用インターフェース
・接触型読書き器用インターフェースと第１及び第２のメモリ空間との間に介在して接触型読書き器用インターフェースが第１及び第２のメモリ空間をそれぞれ標準及び拡張のメモリ空間としてアクセスできる制御を行う第１の制御手段
・非接触型読書き器と第２のメモリ空間との間に介在する非接触型読書き器用インターフェース
・非接触型読書き器用インターフェースと第１及び第２のメモリ空間との間に介在して非接触型読書き器用インターフェースが第１及び第２のメモリ空間をそれぞれ拡張及び標準のメモリ空間としてアクセスできる制御を行う第２の制御手段
【００１５】
好ましくは、携帯電話は、インターネットへ接続可能とし、インターネットから携帯電話へのデータは、接触型読書き器を介して標準及び拡張のメモリ空間としての第１及び第２のメモリ空間へ書き込み可能であり、及び／又は、その逆に、第１及び第２のメモリ空間のデータを接触型読書き器を介して出力し、かつインターネットへ送出可能である。
【００１６】
本発明の携帯電話は、さらに、次のものを内蔵する。
・インターネットバンキングにより電子マネーのチャージ料のデータを受信する受信手段
・受信手段が受け取ったチャージ料を第２のメモリ空間の電子マネーに残高に加算する加算手段、及び
・非接触型読書き器を介する第２のメモリ空間の電子マネーの支払いを実施する支払い実施手段
【００１７】
【発明の実施の形態】
以下、発明の実施の形態について図面を参照して説明する。
図１及び図２はハイブリッドＩＣカード１０へのデータ読書きをそれぞれ接触式及び無接触式で行う場合の概略図である。ハイブリッドＩＣカード１０の外見及び寸法は公知のハイブリッドＩＣカードと同一である。ハイブリッドＩＣカード１０において、接触読書き型ＩＣカード部１１及び非接触読書き型ＩＣカード部１２は、ハイブリッドＩＣカード１０の面方向へ非重複部位に配置されている。ハイブリッドＩＣカード１０は接触型リーダ・ライタ１５へ部分的に挿抜自在になっており、接触型リーダ・ライタ１５を使って、ハイブリッドＩＣカード１０のデータを読書きする場合、接触読書き型ＩＣカード部１１が接触型リーダ・ライタ１５内になるように、ハイブリッドＩＣカード１０をＡ方向へ接触型リーダ・ライタ１５へ挿入する。情報処理器１６は、接触型リーダ・ライタ１５へ接続され、接触型リーダ・ライタ１５における接触読書き型ＩＣカード部１１の接触部を介してハイブリッドＩＣカード１０のデータを読書きする。情報処理器１６は、ＣＰＵを内蔵するものであり、典型的にはディスプレイを含む。接触読書き型ＩＣカード部１１及び非接触読書き型ＩＣカード部１２は一体化されることもある。ハイブリッドＩＣカード１０のデータの読書きをワイヤレスで行う場合には、ハイブリッドＩＣカード１０は、それがアンテナ２０からの微弱電波Ｂを所定電界強度以上で受信するエリア内に存在しなければならない。情報処理器２１はアンテナ２０へ接続されており、アンテナ２０と非接触読書き型ＩＣカード部１２の内蔵アンテナ（図示せず）とは、電波Ｂを使ってデータを送受し合う。情報処理器２１は、ＣＰＵを内蔵するものであり、典型的にはディスプレイを含む。
【００１８】
図３はハイブリッドＩＣカード１０内の主要部のブロック図である。接触読書き型ＩＣカード部１１は制御回路及び接触ＩＣカード用インターフェース２５及び接触型ＩＣメモリチップ２６を含み、非接触読書き型ＩＣカード部１２は制御回路及び非接触ＩＣカード用インターフェース２９及び非接触型ＩＣメモリチップ３０を含む。制御回路及び接触ＩＣカード用インターフェース２５は、接触型リーダ・ライタ１５との接触により接触型リーダ・ライタ１５との間でデータを送受自在になっている。制御回路及び非接触ＩＣカード用インターフェース２９は、内蔵アンテナを介して電波Ｂ（図２）によりアンテナ２０との間でデータを送受自在になっている。制御回路及び接触ＩＣカード用インターフェース２５は、自分が所属する接触読書き型ＩＣカード部１１内の接触型ＩＣメモリチップ２６のメモリ空間及び自分の所属しない非接触読書き型ＩＣカード部１２の非接触型ＩＣメモリチップ３０のメモリ空間をそれぞれ標準及び拡張のメモリ空間として、ハイブリッドＩＣカード１０の所定の内部配線を介してアクセス自在になっている。制御回路及び非接触ＩＣカード用インターフェース２９は、自分が所属する非接触読書き型ＩＣカード部１２内の非接触型ＩＣメモリチップ３０のメモリ空間及び自分が所属しない接触読書き型ＩＣカード部１１の接触型ＩＣメモリチップ２６のメモリ空間をそれぞれ標準及び拡張のメモリ空間として、ハイブリッドＩＣカード１０の所定の内部配線を介してアクセス自在になっている。
【００１９】
図４は各ＩＣチップ内のメモリ空間を標準メモリ空間及び拡張メモリ空間としてアクセスする方式の説明図である。制御回路及び接触ＩＣカード用インターフェース２５はアドレスレジスタ３４及び選択回路３５を含み、制御回路及び非接触ＩＣカード用インターフェース２９はアドレスレジスタ３８及び選択回路３９を含む。接触型ＩＣメモリチップ２６及び非接触型ＩＣメモリチップ３０はそれぞれメモリ４１，４２を含む。アドレスレジスタ３４，３８は、同一構造であり、計８ビットを持ち、これら８ビットについてはＭＳＢからＬＳＢの方へ各ビットについて便宜上、Ｅ０，Ａ６，Ａ５，・・・，Ａ０の名前を付ける。Ａ６〜Ａ０の計７ビットには、メモリ空間においてアクセスするアドレスがストアされ、Ｅ０には、Ａ６〜Ａ０のアドレスが標準及び拡張のどちらのメモリ空間のものかを識別する値がストアされる。Ｅ０の値は、標準及び拡張を表すとき、例えばそれぞれ”０”，”１”とされる。選択回路３５，３９は、それぞれアドレスレジスタ３４，３８のＥ０の値に応じて、メモリ４１，４２のいずれかを今回のアドレスについてアクセスする方のメモリ空間として選択する。選択回路３５は、アドレスレジスタ３４のＥ０が標準及び拡張を表す値であるとき、それぞれメモリ４１，４２を選択するのに対し、選択回路３９は、アドレスレジスタ３８のＥ０が標準及び拡張を表す値であるとき、それぞれメモリ４２，４１を選択する。アドレスレジスタ３４のＥ０の値の設定は情報処理器１６（図１）が行い、アドレスレジスタ３８のＥ０の値の設定は情報処理器２１（図１）が行う。
【００２０】
図５はハイブリッドＩＣカード１０の接触読書き型ＩＣカード部１１の接触型ＩＣメモリチップ２６のメモリ空間の少なくとも一部を電子マネーとして利用するときに該電子マネーについての残高照会の処理手順のフローチャートである。Ｓ５０では、図１に示すように、接触読書き型ＩＣカード部１１が接触型リーダ・ライタ１５内に挿入されるように、ハイブリッドＩＣカード１０を接触型リーダ・ライタ１５に装着する。Ｓ５１では、ハイブリッドＩＣカード１０内の各種制御用設定値が初期化される。Ｓ５２では、ハイブリッドＩＣカード１０の認証用コマンドが発行される。Ｓ５３では、ユーザはハイブリッドＩＣカード１０についてのパスワードを情報処理器１６（図１）の入力部から入力する。この入力パスワードとハイブリッドＩＣカード１０の接触読書き型ＩＣカード部１１の接触型ＩＣメモリチップ２６のメモリ空間に記録されているパスワードとが一致したとき、ユーザは認証され、Ｓ５４以降へ進み、不一致の時ときはユーザは認証されず、この処理手順は終了する。Ｓ５４では、制御回路及び接触ＩＣカード用インターフェース２５のアドレスレジスタ３４（図４）のＥ０は”０”に設定される。結果、選択回路３５は、制御回路及び接触ＩＣカード用インターフェース２５のアクセス先として接触型（メモリ）エリア（＝標準メモリ空間）であるメモリ４１を選択する。Ｓ５５では、メモリ４１から制御回路及び接触ＩＣカード用インターフェース２５を経て情報処理器１６へ電子マネーの残高データが送られる。Ｓ５６では、情報処理器１６のディスプレイ部に接触読書き型ＩＣカード部１１の電子マネーの残高が表示される。
【００２１】
図６はハイブリッドＩＣカード１０の非接触読書き型ＩＣカード部１２の非接触型ＩＣメモリチップ３０のメモリ空間の少なくとも一部を電子マネーとして利用するときに該電子マネーについての残高照会の処理手順のフローチャートである。Ｓ６０〜Ｓ６３は図５のＳ５０〜Ｓ５３と同一である。ただしＳ６３における入力パスワードに対する照合値は、接触読書き型ＩＣカード部１１の接触型ＩＣメモリチップ２６のメモリ空間ではなく、非接触読書き型ＩＣカード部１２の非接触型ＩＣメモリチップ３０にストアのものが使用される。Ｓ６４では、制御回路及び接触ＩＣカード用インターフェース２５のアドレスレジスタ３４（図４）のＥ０は”１”に設定される。結果、選択回路３５は、制御回路及び接触ＩＣカード用インターフェース２５のアクセス先として非接触型（メモリ）エリア（＝拡張メモリ空間）であるメモリ４２を選択する。Ｓ６５では、メモリ４２から制御回路及び接触ＩＣカード用インターフェース２５へ電子マネーの残高データが送られる。Ｓ６６では、情報処理器１６のディスプレイ部に非接触読書き型ＩＣカード部１２の電子マネーの残高が表示される。
【００２２】
図５及び図６のフローチャートから分かるように、接触読書き型ＩＣカード部１１及び非接触読書き型ＩＣカード部１２の両方の電子マネー残高を情報処理器１６において表示することができる。同様に、非接触型読書き器としての情報処理器２１（図２）からも、非接触読書き型ＩＣカード部１２の制御回路及び非接触ＩＣカード用インターフェース２９がメモリ４２，４１のメモリ空間をそれぞれ標準及び拡張のメモリ空間としてアクセスすることにより接触読書き型ＩＣカード部１１及び非接触読書き型ＩＣカード部１２の両方の電子マネー残高を読み出して、情報処理器２１のディスプレイにおいて表示することができる。
【００２３】
ハイブリッドＩＣカード１０の代表的な使用例を述べる。接触読書き型ＩＣカード部１１は電子マネーとし、非接触読書き型ＩＣカード部１２はクレジットカード兼電子マネーとする。従来のハイブリッドＩＣカードでは、接触型読書き器としての接触型リーダ・ライタ１５から非接触読書き型ＩＣカード部１２のデータを読書きできないので、非接触読書き型ＩＣカード部１２の電子マネー残高は、決済時か及び複雑、高価なチャージ機においてしか照会不可能であった。このハイブリッドＩＣカード１０では、接触型読書き器としての接触型リーダ・ライタ１５から非接触読書き型ＩＣカード部１２のデータを読書きできるようになっているので、接触型読書き器としての簡易かつ小型の携帯型残高照会機で残高を見ることができる。また、非接触読書き型ＩＣカード部１２に電子マネーをチャージするときも、複雑、高価なチャージ機に代えて、接触型読書き器としての簡易型チャージ機を使用できる。逆に、接触読書き型ＩＣカード部１１の電子マネーのチャージを、非接触型読書き器としてのチャージ機からも実施可能になる。さらに、ユーザは、非接触読書き型ＩＣカード部１２の電子マネーについて簡易な接触型読書き器からデジタル署名することもできる。このデジタル署名によって、非接触読書き型ＩＣカード部１２の電子マネーを、非接触型読書き器から支払うときに、署名者、すなわち支払い者のデータも非接触型読書き器へ送り、この情報を非接触型読書き器の方で種々、利用可能になる。
【００２４】
ハイブリッドＩＣカード１０のセキュリティについて二重チェック方式を採用することも可能である。すなわち、接触読書き型ＩＣカード部１１及び非接触読書き型ＩＣカード部１２のそれぞれのメモリ空間に、相互に独立のパスワード照会用データを記録しておき、ユーザから異なるパスワードを２個、入力させ、入力パスワードが２個共に、接触読書き型ＩＣカード部１１及び非接触読書き型ＩＣカード部１２のメモリ空間のパスワード照会データと一致したときのみ、認証成立とする。
【００２５】
ハイブリッドＩＣカード１０の別の利用例では、ハイブリッドＩＣカード１０を携帯電話に装備させる。接触読書き型ＩＣカード部１１のメモリ空間は、携帯電話本来の機能に関するデータ、例えば電話帳に関するデータをストアするメモリ空間に限定する。非接触読書き型ＩＣカード部１２のメモリ空間は、交通利用に関するデータ、例えば鉄道の電子切符や電子定期券として使用する。すなわち、ユーザは、日頃携帯する携帯電話を使って、鉄道も利用可能になる。携帯電話の非接触読書き型ＩＣカード部１２のメモリ空間の電子切符等の支払い又は購入用の電子マネーは、携帯電話のインターネット接続機能を利用して、所定のインターネットバンクの自分の口座等から適宜、チャージすることも可能である。さらに、ユーザが、改札口を出るときに、非接触型読書き器としての改札機からユーザの携帯電話へユーザの今回の利用料金情報を送り、ユーザの携帯電話は、その利用料金情報を管理センターへ電話回線で送り、管理センターにおいて、利用料金の即時決済やクレジット決済することができるようにしてもよい。
【００２６】
図７は接触型読書き器用及び非及び非接触型読書き器用のメモリ空間を装備しかつインターネット接続可能な携帯電話７０のブロック図である。接触型読書き器用インターフェース７２は、接触型読書き器７８と携帯電話７０内の内部配線を介してデータを相互自在であり、非接触型読書き器用インターフェース７３は、到達距離がせいぜい１０〜２０ｍ程度の微弱電波Ｂを介して携帯電話７０の外部の非接触型読書き器（図示せず）とデータ送受自在になっている。第１及び第２のメモリ空間７４，７５は、図４のメモリ４１，４２に対応しており、第１の制御手段７６は、接触型読書き器用インターフェース７２と第１及び第２のメモリ空間７４，７５との間に介在して接触型読書き器用インターフェース７２が第１及び第２のメモリ空間７４，７５をそれぞれ標準及び拡張のメモリ空間としてアクセスできる制御を行う。第２の制御手段７７は、非接触型読書き器用インターフェース７３と第１及び第２のメモリ空間７４，７５との間に介在して非接触型読書き器用インターフェース７３が第１及び第２のメモリ空間７４，７５をそれぞれ拡張及び標準のメモリ空間としてアクセスできる制御を行う。送受信手段８２は、携帯電話７０の通信機能を利用して、電話回線用電波Ｃを介して所定の基地局と電話の音声及び／又はインタネットのデータを送受する。ユーザは、携帯電話７０のインターネット機能を利用して、インターネットバンクの自分の口座から適宜、金を、電子マネーとして第２のメモリ空間にチャージする。そのチャージの際は、加算手段８３は、接触型読書き器７８、接触型読書き器用インターフェース７２、及び第１の制御手段７６を介して第２のメモリ空間７５の残高を読み出して、その残高に対して、ユーザがインターネットバンクから卸した金の額を加算し、加算の計算値を残額として第２のメモリ空間７５の電子マネーとしてストアする。例えば、鉄道改札口や高速道路の料金所での、料金支払いでは、改札所等における図示していない非接触型読書き器より電波Ｂを介して所定金額の支払請求が非接触型読書き器用インターフェース７３へ受け付けられる。該受け付けられた請求に対して支払手段８４は、支払うべきか否かを判断し、支払うべきであるならば、第２の制御手段７７を介して第２のメモリ空間７５の電子マネーを非接触型読書き器用インターフェース７３を介して支払う。
【００２７】
【発明の効果】
本発明では、ハイブリッドＩＣカードにおいて、本来は接触型読書き器及び非接触型読書き器のそれぞれによりデータ読書き自在となっているメモリ空間が、非接触型読書き器及び接触型読書き器からもテータ読書き自在になったので、ハイブリッドＩＣカードの利便性を高めることができる。
【図面の簡単な説明】
【図１】ハイブリッドＩＣカードへのデータ読書きを接触式で行う場合の概略図である。
【図２】ハイブリッドＩＣカードへのデータ読書きを無接触式で行う場合の概略図である。
【図３】ハイブリッドＩＣカード内の主要部のブロック図である。
【図４】各ＩＣチップ内のメモリ空間を標準メモリ空間及び拡張メモリ空間としてアクセスする方式の説明図である。
【図５】ハイブリッドＩＣカードの接触読書き型ＩＣカード部の接触型ＩＣメモリチップのメモリ空間の少なくとも一部を電子マネーとして利用するときに該電子マネーについての残高照会の処理手順のフローチャートである。
【図６】ハイブリッドＩＣカードの非接触読書き型ＩＣカード部の非接触型ＩＣメモリチップのメモリ空間の少なくとも一部を電子マネーとして利用するときに該電子マネーについての残高照会の処理手順のフローチャートである。
【図７】接触型読書き器用及び非及び非接触型読書き器用のメモリ空間を装備しかつインターネット接続可能な携帯電話のブロック図である。
【符号の説明】
１０　　ハイブリッドＩＣカード
１１　　接触読書き型ＩＣカード部
１２　　非接触読書き型ＩＣカード部
１５　　接触型リーダ・ライタ（接触型読書き器）
２０　　アンテナ（非接触型読書き器）
２１　　情報処理器（非接触型読書き器）
２５　　制御回路及び接触ＩＣカード用インターフェース（接触型読書き器用インターフェース、第１の制御手段）
２９　　制御回路及び非接触ＩＣカード用インターフェース（非接触型読書き器用インターフェース、第２の制御手段）
３４　　アドレスレジスタ
３５　　選択回路
３８　　アドレスレジスタ
３９　　選択回路
４１　　メモリ（第１のメモリ空間）
４２　　メモリ（第２のメモリ空間）
７０　　携帯電話
７２　　接触型読書き器用インターフェース
７３　　非接触型読書き器用インターフェース
７４　　第１のメモリ空間
７５　　第２のメモリ空間
７６　　第１の制御手段
７７　　第２の制御手段
７８　　接触型読書き器
８２　　送受信手段
８３　　加算手段
８４　　支払手段
【図１】
2004046408.tif 000003
【図２】
2004046408.tif 000004
【図３】
2004046408.tif 000005
【図４】
2004046408.tif 000006
【図５】
2004046408.tif 000007
【図６】
2004046408.tif 000008
【図７】
2004046408.tif 000009